(57)【要約】      （修正有）【課題】使用しなくなったカメラ装置付携帯電話機やデジタルカメラ或いはフイルム用オートカメラを利用して防犯装置として使用するための付加装置を提供する。【解決手段】耐熱樹脂製の施錠出来る開閉蓋付箱体で蓋部には撮象用ガラス窓とフラッシュ発光部・マイク穴が設けられ、本体外部側面に感熱素子や近接スイッチが、本体内部には振動感知センサーが設けられ、それらは内蔵した増幅器に接続されその出力でカメラ保持部のシャツター押し装置及びフラッシュと時記装置や音声記録装置が作動する様にした装置で、箱体の背面及び底面に箱体の内側から取り付ける様取り付け穴が設けられ、施錠すると待機状態になる防犯用カメラ付加装置。【選択図】図１
0003137069.tif 000002
【実用新案登録請求の範囲】
【請求項１】
使用しなくなったカメラ装置付携帯電話機やデジタルカメラ或いはフイルム用オートカメラを利用して防犯装置として使用するための付加装置であって、耐熱樹脂製の施錠出来る開閉蓋付箱体で蓋部には撮象用ガラス窓とフラッシュ発光部・マイク穴が設けられ、本体外部側面に感熱素子や近接スイッチが、本体内部には振動感知センサーが設けられ、それらは内蔵した増幅器に接続されその出力でカメラ保持部のシャツター押し装置及びフラッシュと時記装置や音声記録装置が作動する様にした装置で箱体の背面及び底面に箱体の内側から取り付ける様取り付け穴が設けられ、施錠すると待機状態になる防犯用カメラ付加装置
【請求項２】
請求項１のフラッシュ発光部をシャツター押し装置の作動直前に１度予備発光させる様にすることを特徴とした防犯用カメラ付加装置。
【考案の詳細な説明】
【技術分野】
【０００１】  本考案は休眠中のカメラ付携帯電話機やフィルムカメラ等を利用して防犯装置に活用しようとするものである。
【背景技術】
【０００２】  携帯電話の普及に伴いカメラ付携帯電話機の休眠品も多大な数に成っている。加えて現用のデジタルカメラやカメラ付携帯電話機やフィルムカメラを含めると映像記録装置には事欠かない。【０００３】  短時間録音出来る携帯型小型録音機も普及してきている。【０００４】  近接スイッチ・振動感知センサー等各種センサー類が安価に入手出来る様に成ってきている【０００５】  時間記録については小型タイムレコーダー等を組み込む事も考えられるが、本装置の場合本装置を設置するときその視野内に時計が入る様にしておけば時間の記録は不要である。
【特許文献１】
【非特許文献１】
【考案の開示】
【考案が解決しようとする課題】
【０００６】  休眠中や現用を含めて数多く存在するカメラ付携帯電話機やデジタルカメラ・或るいは汎用フィルムカメラを利用する事で低廉な防犯装置を提供することにある。【０００７】  映像記録部が市販の携帯電話機やデジタルカメラ或いは汎用フィルムカメラの為安価な共通の保持機構を考える必要がある。【０００８】  全撮象機種に適合するシャッターボタン押し装置とその取り付け機構を考える必要がある。
【課題を解決するための手段】
【０００９】  全撮象機種に適合する取り付け装置としてカメラ取り付け部の２組の移動可能なクランプに拠って定位置に保持し、シャッターボタン押し装置をカメラ取り付け部に設けた屈曲アームに拠り定位させる。【００１０】  本考案のフラッシュ発光部はカメラのシャツターを切る直前に犯人の注意を引くための予備発光と２回連続発光させる為市販のストロボフラッシュの使用を止め本装置専用のストロボフラッシュ発光部を使用する。【００１１】  本考案に使用する各種センサーは夫々の状況の検知に関与し作用するもので、温度センサーは放火等による雰囲気温度の急上昇を感知する。【００１２】  近接スイッチは不審者の侵入等の感知に関与する。【００１３】  マイクロホンは物を壊す破壊音や爆発音を感知し装置が作動後は犯人の足音や会話の集音を行う。【００１４】  振動感知センサーは地震の揺れや置き場所の移動・取り付け場所の破壊等の直接外力の感知に関与する。【００１５】  上記の各センサーを入力基とする増幅操作基盤と、その出力によって操作される映像記録装置の取り付け基台・小型録音装置等を組み込む耐熱樹脂製筐体の前蓋には透明撮象窓とフラッシュ発光部及びマイク穴が有り、施錠すると待機状態になる様にしてある。【００１６】  本装置は壁や卓上に個定するには筐体内側から木ねじ等で固定する様筐体底面・側面・背面に取り付け用穴が設けられている。
【考案の効果】
【００１７】  上述の様に本考案の防犯用カメラ付加装置は市販のカメラ付携帯電話機・デジタルカメラ・フィルム用オートカメラ等が簡単に組込め、高性能汎用防犯カメラが廉価提供出来る事を特徴とする防犯用カメラ付加装置である。
【考案を実施するための最良の形態】
【００１８】  以下本考案の実施例の形態を図１〜４に基づいて説明する。【００１９】  図１は本考案実施例の前蓋（２）を開いた正面図で耐熱樹脂製の箱体（１）と蝶番（１７）で接続された蓋部（２）には２重ガラスの撮象用窓（４）があり、その上にフラッシュ発光部（３）とマイクロホン（５）が取り付けられ、箱体（１）外部には温度センサー（１２）と近接スイッチ（１３）が設けられ、内部はカメラ取り付け台（７）に２個の可動クランプ装置（８）及びシャッターボタン押し装置（１０）と、それを定位する屈曲アーム（９）が取り付けられたカメラ保持装置が有り、カメラ取り付け台（７）底部に振動感知センサー（１４）が、内部は各種センサーからの信号変換増幅出力部基盤及び電源部（１６）が収納され、カメラ取り付け台（７）横の空間には小型録音機（１５）等を収納する様にした防犯用カメラ付加装置で施錠機構（６）に連動するスイッチ機構に拠って施錠することで待機状態にセットされる。本図はカメラ付携帯電話機を撮象記録装置（１１）として装着した例であって、底面・側面・背面に設けた取り付けねじ穴（１９）により内側から木ねじで取り付け固定する様になっている。【００２０】  図２は前記装置側面配置説明図である。【００２１】  図３は汎用フィルムカメラを撮象記録装置（１１）として装着した例である。【００２２】  図４は本考案の箱体（１）とその前蓋（２）を透明アクリルドーム（１’）と基台（２’）にした例を示す図である。
【図面の簡単な説明】
【００２３】
【図１】  本考案実施例の前蓋を開いた状態の正面図
【図２】  同側面配置説明図
【図３】  同汎用カメラ装着例の説明図
【図４】  同ドーム型箱体の実施例を示す図
【符号の説明】
【００２４】    １…‥…耐熱樹脂箱体
１’‥…透明ドーム型箱体
２…‥…前蓋
２’‥…基台
３…‥…フラッシュ発光部
４…‥…撮象窓
５…‥…マイクロホン
６…‥…鍵機構
７…‥…カメラ取り付け台
８…‥…可動クランプ
９…‥…屈曲アーム
１１…‥…撮象記録装置
１２…‥…感熱センサー
１３…‥…近接スイッチ
１４…‥…振動感知センサー
１５…‥…小型録音機
１６…‥…信号変換増幅部基盤及び電源
１７…‥…蝶番
１８…‥…セットスイッチ
１９…‥…取り付け穴
【図１】
0003137069.tif 000003
【図２】
0003137069.tif 000004
【図３】
0003137069.tif 000005
【図４】
0003137069.tif 000006
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
使用しなくなったカメラ装置付携帯電話機やデジタルカメラ或いはフィルム用オートカメラを利用して防犯装置として使用するための付加装置であって、耐熱樹脂製の施錠出来る開閉蓋付箱体で蓋部には撮象用窓とフラッシュ発光部・マイク穴が設けられ、本体外部側面には感熱素子や上面には近接スイッチが、本体内部には振動感知センサーが設けられ、それらは内蔵した増幅器に接続され，その出力でカメラ保持部のシャツター押し装置やフラッシュ発光を行うと同時に機体内にオプションで組み込んだ各装置の作動時間を記録する時間記録装置や音声記録装置を始動させるようにした充電式電源内蔵で、箱体の内側から卓上や壁面に固定する様にし、施錠する事でセットされる様にした防犯カメラ付加装置。
【請求項２】
請求項１のフラッシュ発光とシャツター押し装置の関係に於いて、シャツター押し信号は１回目のフラッシュ発光と同時であるが実際のシャツター動作は遅れて行はれるので、実際のシャツターに同期した２回目のフラッシュ発光と、２回連続発光させる事を特徴とした請求項１に記載の防犯カメラ付加装置。